(57)【特許請求の範囲】
【請求項１】
バケツ本体（１）に、収容した水量を測定すべく水量測定部が設けられてなり、前記水量測定部として、種々の水位に対応した部位にそれぞれ複数の目盛り（２）が設けられてなり、該目盛り（２）には、水位に対応した水量表示（４）が備えられてなり、
前記バケツ本体（１）には、開口することにより収容した水を排出可能な排水部（５）が設けられ、該排水部（５）として複数の排水孔（６）が高さの異なる部位にそれぞれ設けられ、該排水孔（６）に対応した高さ位置には、前記目盛り（２）が設けられ、該排水孔（６）には、該排水孔（６）を閉塞する栓体（２０）が嵌脱自在に嵌入されてなることを特徴とする釣り用水汲みバケツ。
【請求項２】
前記バケツ本体（１）には、排水孔（６）が４箇所に設けられ、前記栓体（２０）は、４つ備えられてそれぞれ２ずつが棒状の連結体（２１）によって互いに連結されている請求項１記載の釣り用水汲みバケツ。
【請求項３】
前記バケツ本体（１）には、互いに隣接する排水孔（６）を結ぶ線分が菱形を形成するように前記排水孔（６）が設けられてなり、２つの前記連結体（２１）が互いに該菱形の対辺上に存在するように前記栓体（２０）が排水孔（６）に嵌入されてなる請求項２記載の釣り用水汲みバケツ。
【請求項４】
有底の箱形に形成されたバケツ本体（１）に、収容した水量を測定すべく水量測定部が設けられてなり、前記水量測定部として、種々の水位に対応した部位にそれぞれ複数の目盛り（２）が設けられてなり、該目盛り（２）には、水位に対応した水量表示（４）が備えられてなり、
前記バケツ本体（１）には、開口することにより収容した水を排出可能な排水部（５）が設けられ、該排水部（５）は、収容した水の水位を調整可能とすべく、防水性のスライドファスナー（１５）が設けられることにより開口最下部位を変動可能とされてなることを特徴とする釣り用水汲みバケツ。
【発明の詳細な説明】
【０００１】
【発明の属する技術分野】
本発明は、釣りに使用される水汲み用のバケツ、即ち、釣り用水汲みバケツに関する。
【０００２】
【従来の技術】
従来、例えば、防波堤、磯等で釣り場では、撒き餌を調製するため等、種々の用途に水が必要であるため、例えば、ロープ１４をバケツの把手に結び付けて海面等に投入し、バケツの内部に水を侵入させた後、ロープ１４を手繰り寄せてバケツを引き上げ、水を汲み上げるといったことがなされている。
例えば、撒き餌を調製する場合には、上述の方法で水を汲み上げ、収容した水を配合餌に混合して硬さ調整を行っている。
【０００３】
【発明が解決しようとする課題】
ところで、撒き餌の海中でのばらけ具合や沈み易さ等は、調整具合（即ち、硬さ）によって大きく左右されるところ、硬さ調整は釣り経験の少ない人には難しいことから、通常、撒き餌用の配合餌の袋等に、一袋当たりの水の混合割合等が明示されており、釣り人は、この割合を基準にして配合餌に所定量の水を混合し、撒き餌を最適な硬さに調製することができる。
【０００４】
しかしながら、釣り場に計量カップ等の計りを携行し配合餌に所定量の水を混合することは非常に煩雑であることから、結局のところ釣り人の感や経験によって撒き餌の調製が行われているのが現状である。
【０００５】
また、撒き餌の調製以外にも、汲み上げられた水は、種々の用途に使用されており、使用する際に、使用する水量を測定することが必要となることも考えられる。
【０００６】
そこで、本発明は、上記従来の問題点に鑑みなされたもので、汲み上げて使用する水量を容易に測定することができる釣り用水汲みバケツを提供することを課題とする。
【０００７】
【課題を解決するための手段】
上記課題に鑑み、本発明に係る釣り用水汲みバケツは、バケツ本体に、収容した水量を測定すべく水量測定部が設けられてなり、前記水量測定部として、種々の水位に対応した部位にそれぞれ複数の目盛りが設けられてなり、該目盛りには、水位に対応した水量表示が備えられてなり、
前記バケツ本体には、開口することにより収容した水を排出可能な排水部が設けられ、該排水部として複数の排水孔が高さの異なる部位にそれぞれ設けられ、該排水孔に対応した高さ位置には、前記目盛りが設けられ、該排水孔には、該排水孔を閉塞する栓体が嵌脱自在に嵌入されてなることを特徴とする。
【０００８】
斯かる構成からなる釣り用水汲みバケツは、バケツ本体に水量測定部が設けられてなることから、水を汲み上げた後、不要量を適宜排出し、その都度、収容された水量を測定することができ、計量カップ等を使用する必要もなく、使用する水量を容易に測定することができる。
また、視認によって容易に水位を判断でき、該水位に対応した水量を容易に測定することができる。
【０００９】
また、本発明においては、前記バケツ本体には、排水孔が４箇所に設けられ、前記栓体は、４つ備えられてそれぞれ２ずつが棒状の連結体によって互いに連結されていることが好ましい。
【００１０】
さらに、本発明において、前記バケツ本体には、互いに隣接する排水孔を結ぶ線分が菱形を形成するように前記排水孔が設けられてなり、２つの前記連結体が互いに該菱形の対辺上に存在するように前記栓体が排水孔に嵌入されてなることが好ましい。
【００１１】
また、本発明に係る釣り用水汲みバケツは、有底の箱形に形成されたバケツ本体に、収容した水量を測定すべく水量測定部が設けられてなり、前記水量測定部として、種々の水位に対応した部位にそれぞれ複数の目盛りが設けられてなり、該目盛りには、水位に対応した水量表示が備えられてなり、
前記バケツ本体には、開口することにより収容した水を排出可能な排水部が設けられ、該排水部は、収容した水の水位を調整可能とすべく、防水性のスライドファスナーが設けられることにより開口最下部位を変動可能とされてなることを特徴とする。
斯かる構成により、バケツ本体に収容された水は、開口により排水部から排出することができると共に、開口最下部位を所望高さに変動させることにより、開口最下部位よりも下方に存在する水は、バケツ本体内に残存することになる。従って、所望水量を容易に得ることができる。
【００１２】
【発明の実施の形態】
〈第一実施形態〉
以下、本発明の第一実施形態に付いて、図面を参照しつつ説明する。
図１に示すように、第一実施形態の釣り用水汲みバケツは、有底の箱形に形成されたバケツ本体１を備え、該バケツ本体１は、上面全面に開口部１０を有してなる。
このバケツ本体１は、可撓性及び防水性を有する合成樹脂シート（例えば、エチレン酢酸ビニル共重合体シート、ポリ塩化ビニルシート等）が適宜液密に熱溶着されて、折り畳み可能で且つ汲み上げた水が漏出しないように構成されている。
【００１３】
また、バケツ本体１の開口縁部には、開口部１０の形状が変形しないように、鉄鋼ワイヤー製で無端状の枠体（図示せず）が設けられている。
例えば、バケツ本体１を構成するシートの上側の先端縁を、枠体を囲むように内側に折り返し、バケツ本体１の内面に溶着することにより、バケツ本体１の開口縁部に無端状の枠体が保持されている。
尚、バケツ本体１の底部にも周縁に沿って同形状の枠体（図示せず）が設けられ、底部の形状が保持されてなる。
【００１４】
さらに、前記バケツ本体１の両側面上端部には、ベルト取付部１２がそれぞれ設けられ、該取付部１２間に把手用ベルトが掛け渡されて把手部１３が形成されると共に、該把手部１３には、通常、ロープ１４等が取り付けられている。
【００１５】
前記バケツ本体１の正面側の側面には、収容した水を排出することによって水位を調整可能な排水部５が上下方向に沿って設けられてなる。
詳しくは、防水性のスライドファスナー１５が設けられて開閉可能とされた１つの開口部が上下方向に沿って排水部５として設けられてなる。
ここで、スライドファスナー１５とは、開口部の両側端縁にそれぞれ連続して配列された務歯１５ａ（ティース）と、該務歯１５ａに沿ってスライドするスライダー１５ｂとを備えてなり、スライダー１５ｂのスライドによって両開口縁の務歯１５ａ同士を噛み合わせたり離反させたりでき、務歯１５ａ同士の噛み合い及び離反によって、開口部を開閉できる構成のものであり、防水性のスライドファスナー１５とは、務歯１５ｂ同士が噛み合って閉状態となった部分（閉口領域）からは、水の漏出が防止される構成のものである。
【００１６】
前記排水部５は、スライダー１５ｂの上方に開口領域が、下方に閉口領域が形成され、スライダー１５ｂの昇降により開口領域と閉口領域とを変動させることができる構成（開口領域を下方に延長・短縮自在（伸縮自在）となる構成）、即ち、スライダー１５ｂの昇降により、開口領域の最下部位（開口最下部位）を所望の高さ位置に調整（変動）できる構成である。
尚、前記排水部５は、スライダー１５ｂが上端に到達した状態で閉状態、スライダー１５ｂが下端に到達した状態で完全な開状態をとなり、閉状態では、水の漏出が殆ど防止される。
【００１７】
さらに、前記排水部５の同一面においては、該排水部５の両側に、収容した種々の水量（それぞれ、０．５ｌ、１．０ｌ、１．５ｌ、２．０ｌ）の水位に対応した高さ位置に複数の目盛り２が設けられ、各目盛り２には、それぞれ対応した水量表示４が備えられてなると共に、各目盛り２は、互いに異なる色で着色されてなる。
【００１８】
本第一実施形態の釣り用水汲みバケツは、上記の如く構成されてなるが、次に、本第一実施形態の釣り用水汲みバケツを使用する場合について説明する。
先ず、把手部に取り付けられたロープ１４を保持しつつ、排水部５が閉状態のバケツを海面等に投入し、内部に十分水を侵入させた後、ロープ１４を手繰り寄せてバケツを引き上げ、水を汲み上げる。
次いで、汲み上げた水を使用する場合、所望量の水量表示４のある目盛り２の位置までスライダー１５ｂを引き下げて排水部５を開口させる。
これにより、開口領域が形成拡大されると共に、開口最下部位が略スライダー１５ｂの上端縁の高さに位置することになり、開口最下部位よりも上方に存在する水は、排水部５の開口領域から排出され、所望量の水がバケツ本体１の内部に残存する。
【００１９】
そして、例えば、残存する水を配合餌に混合したり、又、配合餌をバケツ内部に投入したりすることにより、所望量の水を使用して撒き餌等を調整する。
【００２０】
第一実施形態の釣り用水汲みバケツは、上記構成により、上述の如く使用できるので、以下の利点を有するものである。
即ち、本第一実施形態において、前記排水部５は、前記目盛り２と同一面に形成されてなるので、所望量を示す目盛り２に対応させて（スライダー１５ｂをスライド調整し）開口最下部位を変動できるので、極めて容易に所望水量を得ることができる。
【００２１】
また、本第一実施形態において、前記排水部５は、開口領域を下方に延長・短縮自在となるように構成されてなるので、排出する水量を微調整することができ、所望水量をより細かくコントロールすることができる。
【００２２】
〈第二実施形態〉
次に、本発明の第二実施形態について、図面を参照しつつ説明する。
尚、第一実施形態と重複する説明は省略し、各部の名称及び図番は第一実施形態のものを適宜援用し、本実施形態で特に説明のないものは、第一実施形態で説明した構成と同じ構成とする。
図２に示すように、第二実施形態の釣り用バケツは、バケツ本体１と該バケツ本体１に排水部５として設けられた複数の排水孔６を閉塞するための栓体２０とを備えて構成されている。
【００２３】
また、バケツ本体１の正面側の側面には、高さの異なる部位の４箇所にそれぞれ排水孔６が設けられ、この４つの排水孔６によって排水部５が構成されてなる（図３（イ）参照）。
前記各排水孔６は、各排水孔６を結ぶ線分が対辺平行な菱形（四辺の長さが等しい四角形）を形成し且つ２辺がバケツ本体１の上下方向に沿うように設けられている。
この排水部５を構成する各排水孔６には、該排水孔６を閉塞する栓体２０が嵌脱自在に嵌入されてなり、収容した水の漏出が防止されてなる。
そして、この栓体２０により、前記排水孔６は開閉自在となっている。
【００２４】
この栓体２０は、排水孔６の数に応じて４つ備えられてなり、それぞれ２ずつが、図３（ロ）に示すように、互いに隣接する排水孔６同士と略同間隔を隔てた状態で、棒状の連結体２１によって互いに連結されている。各排水孔６は、互いに隣接する排水孔６を結ぶ線分が菱形を形成するように設けられてなると共に栓体２０はこの排水孔６同士と略同間隔を隔てた状態で連結されているので、連結された栓体２０を、図４（イ）（ロ）に示すごとく、二つの連結体２１が互いに菱形の対辺上に存在し且つ上下方向に沿うように（（イ）参照）排水孔６に嵌入したり、又、それぞれ水平方向に対して傾斜（約３０度）するように（（ロ）参照）排水孔６に嵌入したりすることができる。
尚、二つの栓体２０と連結体２１とは、それぞれエラストマーからなると共に、成形によって一体的に形成されてなる。
【００２５】
また、バケツ本体１の各排水孔６に対応した高さ位置には、複数の目盛り２が設けられ、各目盛り２には、それぞれ排水孔６の高さ位置の水位に対応した水量表示４（例えば、０．５ｌ、１．０ｌ、１．５ｌ、２．０ｌ）が備えられてなる。
【００２６】
本第二実施形態の釣り用水汲みバケツを使用する場合、汲み上げた水を収容した状態で、所望量の水量表示４のある目盛り２に対応した排水孔６に嵌入された栓体２０を引き抜き、該排水孔６を開口最下部位として開口させ、該排水孔６から収容した水を排出する。
開口最下部位となる排水孔６からは、高さ位置に対応した水位まで、収容した水を排出することになり、所望量の水がバケツ内に残存することになる。
そして、適宜、配合餌等に残存した水を混合することができる。
尚、再度水を汲む際には、取り外した栓体２０を再度排水孔６に差し込む。
【００２７】
第二実施形態の釣り用水汲みバケツは、上記構成により上述の如く使用できるので、以下の利点を有するものである。
即ち、第二実施形態において、前記バケツ本体１には、開閉自在な複数の排水孔６が高さの異なる複数の部位にそれぞれ設けられてなるので、所望の部位の排水孔６を開口最下部位として開口することにより、所望水量を容易に得ることができる。
また、二つ栓体２０が連結体２１により連結されてなるので、連結された一方の栓体２０を取り外しても、他方の栓体２０が排水孔６に嵌入されている限り取り外した栓体２０を紛失する虞も減少する。
【００２８】
上記第一、第二実施形態は上記の如く構成され、上述の利点を有するものであったが本発明の釣り用水汲みバケツは、上記実施形態に限定されず、適宜設計変更可能である。
例えば、上記実施形態においては、複数の目盛り２は異なる色に着色されてなったが、各目盛り２に備えられた水量表示４を異なる色で表す場合であっても本発明の意図する範囲内である。
【００２９】
【発明の効果】
以上のように、本発明に係る釣り用水汲みバケツは、水を汲み上げたそのもので水量を測定することができ、計量カップ等を使用する必要もなく、使用する水量を容易に測定することができるという利点を有する。
【図面の簡単な説明】
【図１】  第一実施形態の釣り用水汲みバケツを示す概略斜視図。
【図２】  第二実施形態の釣り用水汲みバケツを示す概略斜視図。
【図３】  第二実施形態において、
（イ）は、栓体が全て取り外され、排水孔が開口した状態を示す概略正面図。
（ロ）は、連結された栓体を示す概略斜視図。
【図４】  第二実施形態において、
（イ）（ロ）共に、全ての排水孔に栓体を嵌入した状態を示す概略正面図。
【符号の説明】
１・・・バケツ本体、２目盛り（水量測定部）、４・・・水量表示、５・・・排水部
【図１】
0004373592.tif 000002
【図２】
0004373592.tif 000003
【図３】
0004373592.tif 000004
【図４】
0004373592.tif 000005